(57)【要約】【課題】操作つまみの真下の位置にスライド式電子部品を設置しなくても良く、スライド式電子部品の設置位置の自由度が増してこれを取り付ける機器の設計の自由度を増すことができるスライド式電子部品を提供する。【解決手段】摺動型物３０と、摺動型物３０のスライド移動によってその電気的出力を変化する電気的機能部（摺動子５０等からなる）とを具備するスライド式電子部品本体１０を本体取付部材１００の面に取り付ける。摺動型物３０から本体取付部材１００の面に沿って突出する操作レバー３９を屈曲させてその先端側の部分をつまみ連結部４１とする。つまみ連結部４１に連結される操作つまみ体２００をスライド自在につまみ取付部材３００に取り付ける。つまみ取付部材３００を本体取付部材１００に対向して設置することで、つまみ連結部４１を操作つまみ体２００に連結する。【選択図】図１
2006179395.tif 000002
【特許請求の範囲】
【請求項１】
スライド式電子部品本体と、前記スライド式電子部品本体を操作する操作つまみ体と、前記スライド式電子部品本体を取り付ける本体取付部材とを具備して構成されるスライド式電子部品において、
前記スライド式電子部品本体は、摺動型物と、前記摺動型物から突出して設けられる操作レバーと、前記摺動型物のスライド移動によってその電気的出力を変化させる電気的機能部とを有して構成され、
前記操作レバーは前記摺動型物から前記本体取付部材のスライド式電子部品本体を取り付けた面に沿って突出し、
且つ前記操作レバーを屈曲形状とすることでその先端側の部分をつまみ連結部とし、このつまみ連結部に前記操作つまみ体を連結することを特徴とするスライド式電子部品。
【請求項２】
前記操作つまみ体をスライド自在につまみ取付部材に取り付けると共に、このつまみ取付部材を前記本体取付部材に対向して設置することで、前記操作レバーのつまみ連結部を前記操作つまみ体に連結することを特徴とする請求項１に記載のスライド式電子部品。
【請求項３】
前記つまみ取付部材は前記本体取付部材のスライド式電子部品本体を取り付けた面を覆う第一の面と、前記第一の面から前記本体取付部材側に屈曲又は湾曲することで前記つまみ連結部を覆う第二の面とを具備し、
前記第二の面に操作つまみ体を取り付けると共に、前記つまみ連結部を前記操作つまみ体に連結することを特徴とする請求項２に記載のスライド式電子部品。
【請求項４】
前記操作つまみ体は、つまみ取付部材の第二の面の表面側に設置されるつまみ本体と、つまみ取付部材の第二の面の裏面側に設置されて前記操作レバーのつまみ連結部に連結される基体部とを具備し、
前記基体部には前記つまみ連結部の延びる方向に向けてこのつまみ連結部を挿入することで連結する取付部が設けられていることを特徴とする請求項３に記載のスライド式電子部品。
【発明の詳細な説明】
【技術分野】
【０００１】
本発明はスライド式電子部品に関するものである。
【背景技術】
【０００２】
従来、外装ケース（言い換えればつまみ取付部材）と操作つまみと電気的機能部を伴うスライド式電子部品本体にて構成されるスライド式電子部品において、回路基板を伴うスライド式電子部品本体の上を外装ケースで覆い、外装ケース表面に設置した操作つまみと前記スライド式電子部品本体の上面から突出する操作レバーとを外装ケースを介して結合して一体化し、これによって外装ケース表面の操作つまみによって外装ケース裏面のスライド式電子部品本体を操作する構造のスライド式電子部品がある（例えば特許文献１参照）。
【０００３】
そして上記構造のスライド式電子部品においては、操作つまみを取り付けた外装ケースの真下の位置にスライド式電子部品本体及びこれに伴う回路基板を配置しなければならないが、電子機器によっては機器の小型化などの理由によって前記操作つまみを取り付けた外装ケースの真下のスペースを別の部品等を設置するためのスペースとして使用しなければならず、そのような場合は上記スライド式電子部品本体はこの場所には設置できず、設計上の自由度（スライド式電子部品の設置位置）が制限されるという問題があった。
【特許文献１】特開２００３−３１７５７５号公報
【発明の開示】
【発明が解決しようとする課題】
【０００４】
本発明は上述の点に鑑みてなされたものでありその目的は、操作つまみの真下の位置にスライド式電子部品本体を設置しなくても良く、スライド式電子部品本体の設置位置の自由度が増してこれを取り付ける機器の設計の自由度を増すことができるスライド式電子部品を提供することにある。
【課題を解決するための手段】
【０００５】
本願請求項１に記載の発明は、スライド式電子部品本体と、前記スライド式電子部品本体を操作する操作つまみ体と、前記スライド式電子部品本体を取り付ける本体取付部材とを具備して構成されるスライド式電子部品において、前記スライド式電子部品本体は、摺動型物と、前記摺動型物から突出して設けられる操作レバーと、前記摺動型物のスライド移動によってその電気的出力を変化させる電気的機能部とを有して構成され、前記操作レバーは前記摺動型物から前記本体取付部材のスライド式電子部品本体を取り付けた面に沿って突出し、且つ前記操作レバーを屈曲（湾曲を含む）形状とすることでその先端側の部分をつまみ連結部とし、このつまみ連結部に前記操作つまみ体を連結することを特徴とするスライド式電子部品にある。
【０００６】
本願請求項２に記載の発明は、前記操作つまみ体をスライド自在につまみ取付部材に取り付けると共に、このつまみ取付部材を前記本体取付部材に対向して設置することで、前記操作レバーのつまみ連結部を前記操作つまみ体に連結することを特徴とする請求項１に記載のスライド式電子部品にある。
【０００７】
本願請求項３に記載の発明は、前記つまみ取付部材は前記本体取付部材のスライド式電子部品本体を取り付けた面を覆う第一の面と、前記第一の面から前記本体取付部材側に屈曲又は湾曲することで前記つまみ連結部を覆う第二の面とを具備し、前記第二の面に操作つまみ体を取り付けると共に、前記つまみ連結部を前記操作つまみ体に連結することを特徴とする請求項２に記載のスライド式電子部品にある。
【０００８】
本願請求項４に記載の発明は、前記操作つまみ体は、つまみ取付部材の第二の面の表面側に設置されるつまみ本体と、つまみ取付部材の第二の面の裏面側に設置されて前記操作レバーのつまみ連結部に連結される基体部とを具備し、前記基体部には前記つまみ連結部の延びる方向に向けてこのつまみ連結部を挿入することで連結する取付部が設けられていることを特徴とする請求項３に記載のスライド式電子部品にある。
【発明の効果】
【０００９】
請求項１に記載の発明によれば、操作レバーを屈曲形状とすることでその先端側の部分をつまみ連結部とし、且つこのつまみ連結部に操作つまみ体を連結したので、スライド式電子部品本体をこれを操作する操作つまみ体の真下以外の場所に設置することができ、スライド式電子部品を設置する場所の自由度が増すと同時にこれを取り付ける機器の設計の自由度が増す。
【００１０】
請求項２，３に記載の発明によれば、操作つまみ体を取り付けるつまみ取付部材と、スライド式電子部品本体を取り付ける本体取付部材とを対向して設置することで操作レバーのつまみ連結部を操作つまみ体に連結するので、つまみ取付部材と本体取付部材の設置と同時につまみ連結部と操作つまみ体とを連結することが可能となる。
【００１１】
請求項４に記載の発明によれば、つまみ取付部材の第二の面の裏面側に設置される基体部に設けた取付部に、つまみ連結部をこのつまみ連結部の延びる方向に向けて挿入することで連結するように構成したので、つまみ取付部材と本体取付部材とを対向して設置する際に接近させる方向をつまみ連結部の延びる方向に一致させるだけで、容易につまみ連結部と操作つまみ体とを連結することができる。
【発明を実施するための最良の形態】
【００１２】
以下、本発明の実施形態を図面に基づいて詳細に説明する。
図１は本発明の一実施形態にかかるスライド式電子部品１の概略側断面図である。同図に示すようにスライド式電子部品１は、スライド式電子部品本体１０と、スライド式電子部品本体１０（具体的にはその摺動型物３０）を操作する操作つまみ体２００と、スライド式電子部品本体１０を取り付けた本体取付部材１００とを具備して構成されている。以下各構成部品について説明する。
【００１３】
図２は本体取付部材１００及びこれに取り付けたスライド式電子部品本体１０の分解斜視図、図３はつまみ取付部材３００及びこれに取り付けた操作つまみ体２００の分解斜視図、図４はスライド式電子部品１の組み立て方法を説明する概略側断面図である。図２に示すようにスライド式電子部品本体１０は、回路基板（以下この実施形態では「フレキシブル回路基板」という）２０上に、摺動子５０を取り付けた摺動型物３０と、この摺動型物３０を収納するケース６０とを取り付けることで構成されている。スライド式電子部品本体１０は本体取付部材１００上に固定されている。フレキシブル回路基板２０は、可撓性を有する合成樹脂製フイルム（例えばポリエチレンテレフタレートフイルムやポリイミドフイルム等）の表面に、導体パターン（以下この実施形態では「スイッチパターン」という）２１を設け、その周囲の複数箇所（この実施形態では四個所）に貫通する挿入孔２３を設け、またスライド式電子部品本体１０を設置する以外の所定位置に貫通する取付孔２５を設けて構成されている。
【００１４】
摺動型物３０は合成樹脂を略矩形状に成形して構成されており、その表面（ケース６０側の面）には摺動型物３０のスライド方向Ａに向かって一対のクリック用の凹部からなるクリック係合部３１が設けられ、その裏面（フレキシブル回路基板２０側の面）には凹状に凹んで摺動子５０を取り付ける摺動子取付面３３が設けられている。摺動子取付面３３には摺動子５０の下記する挿入部５５を挿入する小突起状の固定部３５（図４参照）が突設されている。また摺動型物３０の一方（図では上側）の側面（前記クリック係合部３１を設けた面に垂直でスライド方向Ａに平行な面）３７からは操作レバー３９が突出している。操作レバー３９は摺動型物３０の側面３７から垂直に、即ち摺動型物３０から本体取付部材１００の面に沿ってスライド方向Ａに垂直に突出した後、その先端を、本体取付部材１００の面側に向けて屈曲させている。その屈曲角度はこの実施形態では９０°である。そして操作レバー３９の屈曲させた先端側の棒状の部分をつまみ連結部４１としている。つまみ連結部４１はその上面（下記する操作つまみ体２００に対向する側の面）に挿入ガイド突起４３を設けている。挿入ガイド突起４３はつまみ連結部４１の上面から所定の厚みだけ平面状に突出し、下記するつまみ取付部材３００の第一の面３０１側に向けてテーパ状にその幅を小さくして凸となる形状に形成されている。摺動子５０は弾性金属板を平板状に形成してなる基部５１の一辺から二本の摺動冊子５３を突出し、これら摺動冊子５３をフレキシブル回路基板２０側に折り返している。基部５１には小孔からなる挿入部５５が設けられている。摺動子５０はその基部５１を摺動型物３０の摺動子取付面３３に当接し、その際摺動型物３０に設けた固定部３５を基部５１に設けた挿入部５５に挿入し、その先端を熱カシメして固定することで摺動型物３０に取り付けられる。
【００１５】
ケース６０は金属板を一方の面（摺動型物３０を収納する側の面）を開放した箱型に形成して構成されている。ケース６０の面には開口６１が設けられ、その内部にはコ字状でその両端がケース６０に連結されているクリック用アーム６３が設けられ、クリック用アーム６３の中央には摺動型物３０方向に向かって突出するクリック部６５が形成されている。またケース６０の一側面（摺動型物３０の操作レバー３９を突出している側の面）には操作レバー３９をスライド方向Ａに向かってスライド自在にケース６０から突出させる矩形状の切欠きからなるレバー突出部６７が設けられ、またケース６０の開口側の端辺の前記フレキシブル回路基板２０の各挿入孔２３に対向する位置からは舌片状の取付部６９が突出している。
【００１６】
本体取付部材１００は剛性を有する平板状の金属板を前記フレキシブル回路基板２０が載置できる外形形状に形成して構成されており、この上に載置するフレキシブル回路基板２０に設けた四つの挿入孔２３に対向する位置にこれと同一形状の貫通孔からなる係止孔１０１を設けている。また本体取付部材１００の前記摺動型物３０の操作レバー３９を突出している側の外周辺１０３には、一対の細帯状の連結部１０５を介してレバー抜け防止部１０７が設けられている。レバー抜け防止部１０７は平板状であってスライド方向Ａにスライド移動する操作レバー３９のつまみ連結部４１の移動範囲においてつまみ連結部４１の下面と常に同一隙間寸法を有するようにスライド方向Ａに向けて帯状に延びる形状に形成されている。具体的にはレバー抜け防止部１０７は、本体取付部材１００の面に垂直で摺動型物３０のスライド方向Ａに平行な面を具備して構成されている。また本体取付部材１００の前記フレキシブル回路基板２０の取付孔２５に対向する位置にはこれと同一形状寸法の貫通孔１０９を設けている。
【００１７】
そして本体取付部材１００へのスライド式電子部品本体１０の取付方法の一例を説明すると、まず本体取付部材１００上にフレキシブル回路基板２０を載置して係止孔１０１と挿入孔２３とを一致させ、次に摺動子５０を取り付けた摺動型物３０を収納したケース６０を前記フレキシブル回路基板２０上に載置し、その際ケース６０に設けた各取付部６９をフレキシブル回路基板２０の各挿入孔２３と本体取付部材１００の各係止孔１０１に同時に挿入し、その先端を本体取付部材１００の裏面側で折り曲げることによってこれら各部品を一体化する。このとき図４に示すように、摺動子５０の摺動冊子５３はスイッチパターン２１上に当接し、これらフレキシブル回路基板２０（特にそのスイッチパターン２１）と摺動子５０とによって、摺動型物３０のスライドによってその電気的出力を変化させる電気的機能部を構成している。また操作レバー３９は本体取付部材１００の面に沿って突出してその先端側のつまみ連結部４１は本体取付部材１００の外周辺１０３上を越え、本体取付部材１００のスライド式電子部品本体１０を取り付けた面の裏面側方向に向けて屈曲（この実施形態では９０°屈曲）して突出している。またこのときつまみ連結部４１の下面（挿入ガイド突起４３を設けた面の裏面）は本体取付部材１００のレバー抜け防止部１０７の上面に対して所定の狭い隙間を介して対向している。
【００１８】
そして操作レバー３９を駆動して摺動型物３０をＡ方向にスライド移動すれば、摺動型物３０に取り付けている摺動子５０がこれと一体に移動することでその摺動冊子５３がスイッチパターン２１上を摺動し、その電気的出力（オンオフ出力）を変化する。同時にケース６０に設けたクリック部６５が摺動型物３０に設けた一方のクリック係合部３１から他方のクリック係合部３１に移動し、その際クリック感覚を生じる。
【００１９】
次に図３に示すように操作つまみ体２００は、つまみ取付部材３００の上面側に設置されるつまみ本体２１０と、ロックつまみ２３０と、弾発手段（以下この実施形態では「コイルバネ」という）２５０と、つまみ取付部材３００の下面側に設置される基体部２６０とを具備して構成されている。ここでまずつまみ取付部材３００について説明すると、つまみ取付部材３００は合成樹脂を所定の形状に成形して形成される外装ケースであり、前記本体取付部材１００のスライド式電子部品本体１０を取り付けた面を覆う第一の面３０１と、第一の面３０１から本体取付部材１００側に所定角度屈曲することで前記操作レバー３９の上部を覆う第二の面３１１とを具備して構成されている。第一の面３０１の裏面側（本体取付部材１００を設置する側）の前記フレキシブル回路基板２０の取付孔２５に対向する位置にはこの取付孔２５に挿入される小突起からなる固定部３０３が設けられている。一方第二の面３１１には開口部３１２が設けられている。開口部３１２は矩形状であって、下記するつまみ本体２１０の一対の連結部２１３が挿入され且つスライド方向Ａに移動可能となる幅と長さ寸法とを有している。開口部３１２の上部の周囲はつまみ本体２１０をスライド方向Ａにスライド自在に収納する凹状の収納部３１３となっている。開口部３１２の両側壁（スライド方向Ａに平行な両側壁）の対向する位置からは一対の小突起状のロック係止部３１５が突設されている。
【００２０】
つまみ本体２１０は合成樹脂を略矩形状に成形して構成されており、その中央には上下に貫通する矩形状の挿通孔２１１が設けられ、つまみ本体２１０の下面の挿通孔２１１の両側からは一対の板状の連結部２１３が突設され、連結部２１３の下端辺からは二本ずつの固定部２１５が突設されている。ロックつまみ２３０は合成樹脂を略柱状に成形して構成されており、その上部の操作部２３１の外形形状は矩形状であって前記つまみ本体２１０の挿通孔２１１に上下動自在に挿入される寸法形状に形成されている。操作部２３１の下部には外周に張り出すつば部２３３が設けられている。つば部２３３はその外形寸法を挿通孔２１１の内径寸法より大きく形成している。つば部２３３の下面側の対向する両側辺（スライド方向Ａに平行な両側辺）の中央からは、一対の矩形状の係止部２３５が突設されている。両係止部２３５の先端面間の幅寸法は、前記つまみ取付部材３００の開口部３１２の両側壁（スライド方向Ａに平行な両側壁）間の幅寸法よりも若干小さい寸法であり、且つ両ロック係止部３１５の先端面間の幅寸法よりも大きい寸法に形成されている。ロックつまみ２３０の下端面にはコイルバネ２５０を挿入する円形凹状の弾発手段挿入部２３７が設けられている。基体部２６０は合成樹脂を略矩形平板状に成形して構成されており、その上面中央には前記コイルバネ２５０の端部を支持するリング状の凹部からなるバネ受け部２６１と、バネ受け部２６１の周囲であって前記つまみ本体２１０の各固定部２１５を挿入する貫通孔からなる挿入固定部２６３と、前記ロックつまみ２３０の一対の係止部２３５を上下動自在に挿入する矩形状の一対の開口と切欠きとからなる挿入ガイド部２６５と、基体部２６０の一側部（スライド方向Ａに垂直な方向を向く一対の側部の内の一方）に設けられる取付部２７０とを具備して構成されている。取付部２７０は、下面が開放されたガイド溝部２７１を具備しており、その一端面には前記つまみ連結部４１を挿入する挿入口２７３が設けられ、また挿入口２７３と反対側の部分には開口部２７５が設けられている。このガイド溝部２７１は棒状のつまみ連結部４１を挿入口２７３から挿入していくことでつまみ連結部４１の略全体をぴったり嵌合できる形状寸法に形成されている。
【００２１】
そしてつまみ取付部材３００への操作つまみ体２００の取付方法の一例を説明すると、まずつまみ本体２１０の挿通孔２１１にその下面側からロックつまみ２３０の操作部２３１を挿入し、次にロックつまみ２３０下端面の弾発手段挿入部２３７にコイルバネ２５０を挿入し、次にこのつまみ本体２１０をつまみ取付部材３００の第二の面３１１に設けた収納部３１３内に収納し、このときつまみ本体２１０の一対の連結部２１３をつまみ取付部材３００の開口部３１２内に挿入し、次に第二の面３１０の下面側に基体部２６０を配置することで基体部２６０の各挿入固定部２６３につまみ本体２１０の各固定部２１５を挿入して各固定部２１５の先端を基体部２６０の下面側で熱カシメする。これによってつまみ取付部材３００への操作つまみ体２００の取り付けが完了する。このときコイルバネ２５０の下端部は基体部２６０のバネ受け部２６１内に保持され、このコイルバネ２５０によってロックつまみ２３０が押し上げられることで、ロックつまみ２３０の操作部２３１は挿通孔２１１からその上方に向けて突出しており、同時にロックつまみ２３０の一対の係止部２３５はつまみ取付部材３００の開口部３１２内の一対のロック係止部３１５の左右の領域ａ１又はａ２の何れかに位置している。
【００２２】
そしてロックつまみ２３０を押圧していないときは前述のようにその一対の係止部２３５が開口部３１２の左右の何れかの領域ａ１又はａ２内に位置していて、図４に示すように係止部２３５の側面がロック係止部３１５の側面に対向しているので、このロックつまみ２３０はその領域ａ１又はａ２内にロックされる。ロックを解除するには、ロックつまみ２３０の操作部２３１をコイルバネ２５０の弾発力に抗して押圧して下降させ、両係止部２３５を基体部２６０に設けた挿入ガイド部２６５に挿入することによって両係止部２３５を両ロック係止部３１５の下側に移動させ、これによって両者の係合を解除した状態でつまみ本体２１０をスライド移動し、両ロック係止部３１５が他方の領域ａ２又はａ１に位置したときにロックつまみ２３０への押圧を解除することでロックつまみ２３０を上昇させて両ロック係止部３１５の反対側の側面を前記両係止部２３５の反対側の側面に対向してその位置にロックする。
【００２３】
以上のようにそれぞれ別個の組立体として組み立てられたスライド式電子部品本体１０と操作つまみ体２００とを一体に組み立てるには、図４に示すように、本体取付部材１００のスライド式電子部品本体１０を取り付けた側の面と、つまみ取付部材３００の基体部２６０を取り付けた側の面とを対向させ、その際図５に示すように、操作レバー３９先端のつまみ連結部４１の長手方向の中心軸と、基体部２６０の取付部２７０のガイド溝部２７１の長手方向の中心軸とを一致させ、両中心軸を一致させた状態のまま、本体取付部材１００とつまみ取付部材３００とを接近させ、これによって図６に示すように、操作レバー３９のつまみ連結部４１を基体部２６０のガイド溝部２７１にその挿入口２７３から挿入し、同時に図３に示すつまみ取付部材３００に設けた固定部３０３を図２に示すフレキシブル回路基板２０に設けた取付孔２５と本体取付部材１００に設けた貫通孔１０９とに挿入し、図１に示すように、固定部３０３の先端を熱カシメすることで本体取付部材１００とつまみ取付部材３００とを一体に固定する。これによってスライド式電子部品本体１０と操作つまみ本体２００とを連結したスライド式電子部品１が完成する。このとき図１に示すように、操作レバー３９のつまみ連結部４１の真下には薄い隙間を介してレバー抜け防止部１０７の上面が対向している。
【００２４】
以上のように構成されたスライド式電子部品１において、ロックつまみ２３０を押圧してそのロックを解除した状態でつまみ本体２１０を直線状にＡ方向にスライド移動すると、つまみ本体２１０と一体化されている基体部２６０によって、基体部２６０と一体化された操作レバー３９がスライド移動し、これによってその電気的出力（オンオフ出力）が変化する。
【００２５】
このときつまみ連結部４１が係合しているガイド溝部２７１はその下面が開放されているので、両者の係合部分に強い力が加わるとつまみ連結部４１がガイド溝部２７１の下面から抜け出る恐れがあるが、この実施形態の場合は、つまみ連結部４１の下側に薄い隙間を介してレバー抜け防止部１０７を設置しているので、その抜けは確実に防止される。
【００２６】
以上のようにスライド式電子部品１を構成すれば、図１に示すように、摺動型物３０から本体取付部材１００の面に沿って突出する操作レバー３９を屈曲させてその先端側の部分をつまみ連結部４１としたので、屈曲させた操作レバー３９のつまみ連結部４１に操作つまみ体２００を取り付けることができる。従ってスライド式電子部品本体１０とこれを操作する操作つまみ体２００とを別々の場所に設置することができ、スライド式電子部品１０及び操作つまみ体２００を設置する場所の自由度が増し、この実施形態のように操作つまみ体２００の真下に他の部品を設置するためのスペースＣを作る必要があるような場合でも、残されたスペースに合わせてスライド式電子部品本体１０を設置することができ、このスライド式電子部品１を取り付ける機器の設計の自由度が増す。またこのスライド式電子部品１によれば、操作つまみ体２００を取り付けるつまみ取付部材３００と、スライド式電子部品本体１０を取り付ける本体取付部材１００とを対向して設置することで摺動型物３０のつまみ連結部４１を操作つまみ体２００に連結するので、つまみ取付部材３００と本体取付部材１００の設置と同時につまみ連結部４１と操作つまみ体２００とを連結することが可能となる。またこのスライド式電子部品１によれば、つまみ取付部材３００の第二の面３１１の裏面側に設置される基体部２６０に設けた取付部２７０に、つまみ連結部４１をこのつまみ連結部４１の延びる方向に向けて挿入することで連結するように構成しているので、つまみ取付部材３００と本体取付部材１００とを対向して設置する際に接近させる方向をつまみ連結部４１の延びる方向（長手方向）に一致させるだけで、容易につまみ連結部４１と操作つまみ体２００とを連結することができる。
【００２７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では、摺動子５０とフレキシブル回路基板２０（特にそのスイッチパターン２１）とによって電気的機能部を構成したが、電気的機能部の構成は、例えばスイッチパターンを抵抗体パターンにする等、種々の変形が可能であり、要は摺動型物３０のスライド移動によってその電気的出力を変化させる構造であればどのような構造のものであっても良い。上記実施形態では操作レバー３９の先端側のつまみ連結部４１を本体取付部材１００のスライド式電子部品本体１０を取り付けた面の裏面側方向に向けて直角に屈曲させているが、前記屈曲角度は直角に限定されず、他の種々の屈曲（この屈曲は徐々に角度を変える湾曲を含む概念である）角度でも良い。また上記実施形態ではつまみ取付部材３００の第一の面３０１から本体取付部材１００側に所定角度屈曲することで操作レバー３９の上部を覆う第二の面３１１を設けたが、急激に角度を変える屈曲の代りに徐々に角度を変える湾曲によって第二の面３１１を設けても良い。また第一の面３０１と第二の面３１１はそれ自体が湾曲面であっても良い。
【図面の簡単な説明】
【００２８】
【図１】本発明の一実施形態にかかるスライド式電子部品１の概略側断面図である。
【図２】本体取付部材１００及びスライド式電子部品本体１０の分解斜視図である。
【図３】つまみ取付部材３００及び操作つまみ体２００の分解斜視図である。
【図４】スライド式電子部品１の組み立て方法を説明する概略側断面図である。
【図５】操作レバー３９と基体部２６０との連結方法を示す斜視図である。
【図６】操作レバー３９と基体部２６０との連結方法を示す斜視図である。
【符号の説明】
【００２９】
１  スライド式電子部品
１０  スライド式電子部品本体
２０  フレキシブル回路基板（回路基板）
２１  スイッチパターン（導体パターン、電気的機能部）
３０  摺動型物
３９  操作レバー
４１  つまみ連結部
５０  摺動子（電気的機能部）
６０  ケース
１００  本体取付部材
１０７  レバー抜け防止部
２００  操作つまみ体
２１０  つまみ本体
２６０  基体部
２７０  取付部
３００  つまみ取付部材
３０１  第一の面
３１１  第二の面
【図１】
2006179395.tif 000003
【図２】
2006179395.tif 000004
【図３】
2006179395.tif 000005
【図４】
2006179395.tif 000006
【図５】
2006179395.tif 000007
【図６】
2006179395.tif 000008